(57)【要約】      （修正有）【課題】前後方向の長さも比較的コンパクトにすることができ、仮に、飲料サーバーの後壁部と壁とが当接されている場合であっても確実に内部を換気することができる飲料サーバーを提供する。【解決手段】飲料サーバー１００は、直方体状の筐体部１０と、筺体部１０の下面の四隅にそれぞれ取り付けられた脚部１５と、筺体部１０の上側に取り付けられ飲料水を注出するための注出部３０と、飲料水を冷却するための冷凍装置と、冷凍装置に送る冷却媒体を圧縮供給するコンプレッサ４１と、冷却媒体を放熱させるための放熱器４２と、筺体部１０内に空気を導入するための冷却ファン４３と、筺体部１０に取り付けられた開口直方体状のダクトカバー５０とを備える。【選択図】図１
0003234156.tif 000002
【実用新案登録請求の範囲】
【請求項１】
飲料水を注出するための飲料サーバーにおいて、
前壁部、両側の側壁部、後壁部、上壁部及び下壁部を有する直方体状であり、内部が上側の上室と下側の下室とで区画された筐体部と、
前記下壁部の下面の四隅にそれぞれ取り付けられた脚部と、
前記前壁部から前方に突出するように該前壁部の上側に取り付けられた前記飲料水を注出するための注出部と、
前記飲料水を冷却するための冷凍装置と、
該冷凍装置に送る冷却媒体を圧縮供給するコンプレッサと、
前記冷却媒体を放熱させるための放熱器と、
前記下室内に空気を導入するための冷却ファンと、
前記後壁部から後方に突出するように該後壁部の下側に取り付けられ、該後壁部に当接された取付けフランジ、両側のダクト側壁部、ダクト後壁部、ダクト上壁部及びダクト下壁部を有する開口直方体状のダクトカバーと、
を備え、
前記冷凍装置が前記上室に収納され、
前記コンプレッサ及び前記放熱器が前記下室に収納され、
前記前壁部の下側又は前記下壁部には、空気を導入するための導入スリットが設けられており、
前記後壁部の下側には、空気を排出するための排出スリットが設けられており、
前記両側の側壁部のうちの少なくとも一方の下側には、空気を排出するための側面排出スリットが設けられており、
前記取付けフランジには、前記排出スリットから排出される空気を前記ダクトカバー内に導入するための開口部が設けられており、
前記ダクトカバーのダクト側壁部及びダクト上壁部には、いずれも、空気を排出するためのダクト排出スリットが設けられており、且つ、前記ダクト後壁部には、空気を排出するためのダクト補助排出スリットが設けられている飲料サーバー。
【請求項２】
前記ダクトカバーが着脱自在となっており、
前記ダクトカバーの前後方向の長さが３ｃｍ〜５ｃｍ程度である請求項１記載の飲料サーバー。
【請求項３】
前記前壁部の下側に、空気を導入するための導入スリットが設けられ、
該前壁部側から後方向に前記冷却ファン、前記放熱器及び前記コンプレッサの順で配列されており、
該冷却ファンにより該導入スリットから導入された空気が少なくとも前記ダクト排出スリットから排出されるようになっている請求項１又は２に記載の飲料サーバー。
【請求項４】
前記下壁部に、空気を導入するための導入スリットが設けられており、
該下壁部側から上下方向に前記放熱器及び前記冷却ファンの順で配列され、それらの後壁部側に前記コンプレッサが配列されており、
前記冷却ファンの上方には、前記導入スリットから導入された空気を、前記後壁部側に誘導するための空気誘導板が設けられており、
該冷却ファンにより該導入スリットから導入された空気が前記空気誘導板を介して少なくとも前記ダクト排出スリットから排出されるようになっている請求項１又は２に記載の飲料サーバー。
【考案の詳細な説明】
【技術分野】
【０００１】
本考案は、飲料サーバーに関し、更に詳しくは、前後方向の長さも比較的コンパクトにすることができ、飲料サーバーの後壁部と壁とが当接されている場合であっても確実に内部を換気することができる飲料サーバーに関する。
【背景技術】
【０００２】
ビール、清涼飲料水等の飲料水を冷却すると共に、注出部から高精度で定量供給することが可能な飲料サーバーが知られている。
例えば、図５に示すように、従来の飲料サーバー６０においては、装置の内部を換気するために冷却ファン６１が取り付けられており、当該装置の前後には、空気の導入スリット６０ａと排出スリット６０ｂが設けられている。
【０００３】
このような飲料サーバーは、比較的コンパクトであることから、占有スペースを要さないという利点がある。このため、飲料サーバーは、壁際等の狭いスペースに設置されることが多い。
【０００４】
ところが、飲料サーバーを壁際に配置すると、壁が飲料サーバーの排出スリットに接近することになるため、冷却後、排出された空気が壁面に突き当たり、当該排出スリットから空気を十分に排出できないという事態が生じ得る。
そうすると、冷却ファンを駆動させたとしても、空気が飲料サーバー内に滞留し、その空気が徐々に加熱されることで、冷却冷媒の冷却が不十分となり、その結果、飲料水を効率良く冷却することができなくなることになる。
【０００５】
これに対し、飲料水を冷却する冷却水槽と、同冷却水槽を冷却する冷凍装置とをハウジング内に収容し、ハウジング内には凝縮器の上側にて排気口（排出スリット）の上部側に進むにつれて高くなるように傾斜した案内板を備えたダクトカバーによって、冷却ファンの駆動によりハウジング内の下部の吸気口から導入し凝縮器を通過させた空気を、ハウジングの周壁の上部の排気口から斜め上向きに流す経路を形成した飲料ディスペンサ（飲料サーバー）が知られている（例えば、特許文献１参照）。
かかる飲料ディスペンサによれば、凝縮器を通過した空気を上向きに排出することができるため、壁が飲料ディスペンサの排気口に接近している場合であっても、一応、排気の流れが生じる。
【先行技術文献】
【特許文献】
【０００６】
【特許文献１】特許６０１４３７６号公報
【考案の概要】
【考案が解決しようとする課題】
【０００７】
しかしながら、上記特許文献１記載の飲料サーバーにおいては、排気口を後壁部の上側に設けているため、飲料サーバー内における凝縮器、冷却ファン及びコンプレッサを、冷凍装置の後方の上下方向に配列する必要がある。
そうすると、飲料サーバーの前後方向の長さが大きくなるため、小型店舗等の狭いスペースには設置し難く、仮に設置できたとしても取り扱い難いという欠点がある。
また、上記特許文献１記載の飲料サーバーは、飲料サーバーの後壁部と、壁との間に十分な隙間を設けないと十分な効果が発揮できないという欠点がある。すなわち、飲料サーバーの後壁部と、壁との間の隙間が十分でない場合、又は、飲料サーバーの後壁部と、壁とが当接されている場合は、排出スリットが上部に形成されているとしても、結局、空気を十分に排出できないことになる。
【０００８】
本考案は上記事情に鑑みてなされたものであり、前後方向の長さも比較的コンパクトにすることができ、仮に、飲料サーバーの後壁部と壁とが当接されている場合であっても確実に内部を換気することができる飲料サーバーを提供することを目的とする。
【課題を解決するための手段】
【０００９】
本考案者は、上記課題を解決するため鋭意検討したところ、後壁部から後方に突出するように開口直方体状のダクトカバーを設け、ダクトカバーのダクト側壁部及びダクト上壁部のうちの少なくとも一箇所以上に設けたダクト排出スリットから空気を排出する構造とすることで、空気の排出経路を確保することにより、上記課題を解決し得ることを見出し、本考案を完成させるに至った。
【００１０】
本考案は、（１）飲料水を注出するための飲料サーバーにおいて、前壁部、両側の側壁部、後壁部、上壁部及び下壁部を有する直方体状であり、内部が上側の上室と下側の下室とで区画された筐体部と、下壁部の下面の四隅にそれぞれ取り付けられた脚部と、前壁部から前方に突出するように該前壁部の上側に取り付けられた飲料水を注出するための注出部と、飲料水を冷却するための冷凍装置と、該冷凍装置に送る冷却媒体を圧縮供給するコンプレッサと、冷却媒体を放熱させるための放熱器と、下室内に空気を導入するための冷却ファンと、後壁部から後方に突出するように該後壁部の下側に取り付けられ、該後壁部に当接された取付けフランジ、両側のダクト側壁部、ダクト後壁部、ダクト上壁部及びダクト下壁部を有する開口直方体状のダクトカバーと、を備え、冷凍装置が上室に収納され、コンプレッサ及び放熱器が下室に収納され、前壁部の下側又は下壁部には、空気を導入するための導入スリットが設けられており、後壁部の下側には、空気を排出するための排出スリットが設けられており、両側の側壁部のうちの少なくとも一方の下側には、空気を排出するための側面排出スリットが設けられており、取付けフランジには、排出スリットから排出される空気をダクトカバー内に導入するための開口部が設けられており、ダクトカバーのダクト側壁部及びダクト上壁部には、いずれも、空気を排出するためのダクト排出スリットが設けられており、且つ、前記ダクト後壁部には、空気を排出するためのダクト補助排出スリットが設けられている飲料サーバーに存する。
【００１１】
本考案は、（２）ダクトカバーが着脱自在となっており、ダクトカバーの前後方向の長さが３ｃｍ〜５ｃｍ程度である上記（１）記載の飲料サーバーに存する。
【００１２】
本考案は、（３）前壁部の下側に、空気を導入するための導入スリットが設けられ、該前壁部側から後方向に冷却ファン、放熱器及びコンプレッサの順で配列されており、該冷却ファンにより該導入スリットから導入された空気が少なくともダクト排出スリットから排出されるようになっている上記（１）又は（２）に記載の飲料サーバーに存する。
【００１３】
本考案は、（４）下壁部に、空気を導入するための導入スリットが設けられており、該下壁部側から上下方向に放熱器及び冷却ファンの順で配列され、それらの後壁部側にコンプレッサが配列されており、冷却ファンの上方には、導入スリットから導入された空気を、後壁部側に誘導するための空気誘導板が設けられており、該冷却ファンにより該導入スリットから導入された空気が空気誘導板を介して少なくともダクト排出スリットから排出されるようになっている上記（１）又は（２）に記載の飲料サーバーに存する。
【考案の効果】
【００１４】
本考案の飲料サーバーにおいては、筺体部が上室と下室とに区画されており、上室に比較的大型の冷凍装置を収納し、下室にコンプレッサ及び放熱器を収納することにより、前後方向の長さを比較的コンパクトにすることができる。これにより、小型店舗等の狭いスペースであっても設置することができ、且つ、取り扱い性にも優れる。
【００１５】
本考案の飲料サーバーは、後壁部から後方に突出するように開口直方体状のダクトカバーを設けているので、仮にダクトカバーと壁とが当接されている場合であっても、後壁部１０ｃと壁との間の隙間を担保することができる。
また、飲料サーバーにおいては、後壁部の排出スリットから排出される空気を開口部からダクトカバー内に導入するようにし、ダクトカバーのダクト側壁部及びダクト上壁部のうちの少なくとも一箇所以上に設けたダクト排出スリットから当該空気を排出する構造とすることにより、飲料サーバーの後壁部と壁との間に十分な隙間が無い場合やダクトカバーと壁とが当接されている場合であっても、空気が上方又は側方に向けて排出されるので、確実に下室内を換気することが可能となる。
これにより、飲料サーバーは、仮に長時間使用した場合であっても、下室内を十分に換気できるので、継続して飲料を十分に冷却することが可能となる。
【００１６】
本考案の飲料サーバーにおいては、両側の側壁部のうちの少なくとも一方の下側に側面排出スリットが更に設けられている場合、ダクト側壁部及びダクト上壁部のうちの少なくとも一箇所以上だけでなく、側面排出スリットからも空気を排出することが可能となる。
【００１７】
本考案の飲料サーバーにおいては、ダクト側壁部及びダクト上壁部に、いずれも、ダクト排出スリットが設けられており、且つ、ダクト後壁部にダクト補助排出スリットが設けられている場合、ダクト側壁部及びダクト上壁部の両方だけでなく、ダクト補助排出スリットからも空気を排出することが可能となる。
【００１８】
本考案の飲料サーバーにおいては、ダクトカバーが着脱自在となっている場合、設置スペースの広さ等に応じて、ダクトカバーの着脱を選択することができ、また、清掃等の際には、ダクトカバーを取り外して個別に清掃することができる。
さらに、既存の飲料サーバーにダクトカバーを取り付けて用いることも可能となる。
また、ダクトカバーの前後方向の長さは、飲料サーバーの後壁部と壁との間の隙間を担保する観点から、３ｃｍ〜５ｃｍ程度であることが好ましい。
【００１９】
本考案の飲料サーバーにおいては、前壁部の下側に、空気を導入するための導入スリットが設けられており、該前壁部側から後方向に冷却ファン、放熱器及びコンプレッサの順で配列されている場合、導入スリットからダクトカバーまで空気が直線的に流れ、その後、ダクト排出スリットから排出されることになるので、下室内を効率良く換気することができる。これにより、放熱器も効率良く冷却することが可能となる。
【００２０】
本考案の飲料サーバーにおいては、下壁部に、空気を導入するための導入スリットが設けられており、該下壁部側から上下方向に放熱器及び冷却ファンの順で配列され、それらの後壁部側にコンプレッサが配列されており、冷却ファンの上方には、導入スリットから導入された空気を、後壁部側に誘導するための空気誘導板が設けられている場合、導入スリットから上方に導入される空気が空気誘導板によってダクトカバーの方に案内され、その後、ダクト排出スリットから排出されることになるので、下室内を効率良く換気することができる。これにより、放熱器も効率良く冷却することが可能となる。
【図面の簡単な説明】
【００２１】
【図１】図１の（ａ）は、本考案に係る飲料サーバーの第１実施形態を示す部分破断側面図であり、（ｂ）は、当該飲料サーバーを斜め上方向から見た斜視図であり、（ｃ）は、当該飲料サーバーを斜め下方向から見た斜視図である。
【図２】図２の（ａ）は、第１実施形態に係る飲料サーバーからダクトカバーを外した筺体部を斜め上方向から見た斜視図であり、（ｂ）は、それを斜め下方向から見た斜視図である。
【図３】図３は、第１実施形態に係る飲料サーバーのダクトカバーのみを示す斜視図である。
【図４】図４の（ａ）は、本考案に係る飲料サーバーの第２実施形態を示す部分破断側面図であり、（ｂ）は、当該飲料サーバーを斜め上方向から見た斜視図であり、（ｃ）は、当該飲料サーバーを斜め下方向から見た斜視図である。
【図５】図５は、従来の飲料サーバーを示す透過側面図である。
【考案を実施するための形態】
【００２２】
以下、必要に応じて図面を参照しながら本考案の好適な実施形態について説明する。なお、以下の説明では、同一又は相当部分には同一符号を付し、重複する説明は省略する。また、上下左右等の位置関係は、特に断らない限り、図面に示す位置関係に基づくものとする。更に、図面の寸法比率は図示の比率に限られるものではない。
【００２３】
本考案に係る飲料サーバーは、飲料水を冷却すると共に、注出部から高精度で定量供給するために用いられる。
なお、かかる飲料水としては、特に限定されないが、ビール等の炭酸飲料水、清涼飲料水、水等が挙げられる。
【００２４】
（第１実施形態）
まず、本考案に係る飲料サーバーの第１実施形態について説明する。
図１の（ａ）は、本考案に係る飲料サーバーの第１実施形態を示す部分破断側面図であり、（ｂ）は、当該飲料サーバーを斜め上方向から見た斜視図であり、（ｃ）は、当該飲料サーバーを斜め下方向から見た斜視図である。
図１の（ａ）〜（ｃ）に示すように、第１実施形態に係る飲料サーバー１００は、直方体状の筐体部１０と、該筺体部１０の下面の四隅にそれぞれ取り付けられた脚部１５と、筺体部１０から前方に突出するように該筺体部１０の上側に取り付けられ飲料水を注出するための２基の注出部３０と、筺体部１０から前方に突出するように該筺体部１０の下側に取り付けられたステージ部３１と、飲料水を冷却するための冷凍装置（図示しない）と、該冷凍装置に送る冷却媒体を圧縮供給するコンプレッサ４１と、冷却媒体を放熱させるための放熱器４２と、筺体部１０内に空気を導入するための冷却ファン４３と、筺体部１０から後方に突出するように取り付けられた開口直方体状のダクトカバー５０と、を備える。
飲料サーバー１００においては、前後方向に、冷却ファン、放熱器及びコンプレッサの順で配列されており、冷却ファン４３が空気を導入することにより、放熱器４２等が空冷されるようになっている。
【００２５】
図２の（ａ）は、第１実施形態に係る飲料サーバーからダクトカバーを外した筺体部を斜め上方向から見た斜視図であり、（ｂ）は、それを斜め下方向から見た斜視図である。
図２の（ａ）及び（ｂ）に示すように、筺体部１０は、前側の前壁部１０ａ、左右両側の側壁部１０ｂ、後側の後壁部１０ｃ、上側の上壁部１０ｄ及び下側の下壁部１０ｅを有する直方体状となっている。
また、筺体部１０は、内部に水平状の区画板１３を有しており、当該区画板１３を介して、その内部が上側の上室１１と下側の下室１２とに区画されている（図１の（ａ）参照）。
なお、本明細書においては、筺体部１０に対して、注出部３０が設けられている側を前側とし、ダクトカバー５０が設けられている側を後側とする。また、区画板１３を境界として上方を上側とし、下方を下側とする。
【００２６】
筺体部１０においては、前壁部１０ａの下側に、より詳しくは、ステージ部３１の下側に、下室１２内に空気を導入するための導入スリット１ａが設けられている。なお、後述するように、飲料サーバー１００においては、冷却ファン４３が、前壁部１０ａ側に配置されているので、当該冷却ファン４３により、導入スリット１ａから下室１２内に空気が導入されるようになっている。
【００２７】
筺体部１０においては、前壁部１０ａから前方に突出するように、該前壁部１０ａの上側に２基の注出部３０が並設されている。なお、かかる２基の注出部３０は、互いに同じ構造となっている。
当該注出部３０としては、公知のものを適宜採用することができる。例えば、注出部３０としては、内部に飲料水を流通させるための流路が形成された基部と、該流路を開閉する弁に連動したコックとを備えるものが挙げられる。この場合、注出部３０においては、コックを傾倒させることにより、樽等の容器（図示しない）に貯留された飲料水が、通路管（図示しない）を介して、基部の流路から注出されることになる。なお、このとき、通路管が冷凍装置によって冷却されることにより、注出される飲料水は、冷却された状態となる。
【００２８】
筺体部１０においては、前壁部１０ａから前方に突出するように、該前壁部１０ａの下側にステージ部３１が取り付けられている。したがって、ステージ部３１は、注出部３０の下方に取り付けられることになる。
ステージ部３１においては、その上にグラス等の容器が載置可能となっている。そして、注出部３０の直下となるように、ステージ部３１上に容器を載置し、注出部３０から飲料水を注出することにより、容器に飲料水が貯留されることになる。
【００２９】
筺体部１０においては、両側の側壁部１０ｂの下側に、下室１２内から空気を排出するための側面排出スリット１ｂがそれぞれ設けられている。なお、一方側の側面排出スリット１ｂと、他方側の側面排出スリット１ｂとは同一形状であっても異なる形状であってもよい。
したがって、仮に、側壁部１０ｂと壁（図示しない）との間に隙間がある場合は、当該側面排出スリット１ｂからも空気を排出させることができる。
【００３０】
筺体部１０においては、下壁部１０ｅの下面の四隅に、脚部１５がそれぞれ取り付けられている。これにより、筺体部１０の下壁部１０ｅは、床面との間に隙間が生じるので、ここから熱を放射することもできる。
【００３１】
筺体部１０においては、後壁部１０ｃの下側に、下室１２内から空気を排出するための排出スリット１ｃが設けられている。なお、かかる排出スリット１ｃには、これを覆うように、後述するダクトカバー５０が取り付けられる。
【００３２】
図１の（ａ）に戻り、筺体部１０においては、後壁部１０ｃから後方に突出するように、該後壁部１０ｃの下側にダクトカバー５０が取り付けられている。なお、ダクトカバー５０の詳細については後述する。
このように、飲料サーバー１００は、ダクトカバー５０を備えているので、仮にダクトカバーと壁とが当接されている場合であっても、飲料サーバーの後壁部１０ｃと壁との間に隙間を担保することができる。これにより、空気の排出経路を確保することができる。
【００３３】
筺体部１０においては、その上室１１に、飲料水を冷却するための冷凍装置が収納されている。
当該冷凍装置としては、公知のものを適宜採用することができる。例えば、冷凍装置としては、冷却水を収容する水槽と、該水槽内に配置され、該冷却水を冷却するための冷媒が流通する冷媒管とを備えるものが挙げられる。
【００３４】
一方、筺体部１０においては、その下室１２に、冷凍装置に送る冷却媒体を圧縮供給するコンプレッサ４１、冷却媒体を放熱させるための放熱器４２及び下室１２内に空気を導入するための冷却ファン４３が収納されている。すなわち、下室１２においては、放熱器４２により放熱が行われ、冷却ファン４３により下室１２内が換気されるようになっている。
【００３５】
飲料サーバー１００においては、前壁部１０ａ側から後方向に冷却ファン４３、放熱器４２及びコンプレッサ４１の順で配列されている。
このため、冷却ファン４３のメンテナンスの際には、コンプレッサ４１又は放熱器４２を態々取り外す必要が無いため、作業性が向上する。
また、放熱器４２及びコンプレッサ４１を極力近付けることができるため、冷媒が流通する冷却管を短くすることができる。
ちなみに、従来の飲料サーバーは、放熱器、冷却ファン６１、コンプレッサの順で配列されていた（図５参照）。
【００３６】
飲料サーバー１００においては、上述したように、上室１１に比較的大型の冷凍装置を収納し、下室１２に冷却ファン４３、放熱器４２及びコンプレッサ４１を収納することにより、前後方向の長さを比較的コンパクトにすることができる。これにより、小型店舗等の狭いスペースであっても設置することができ、且つ、取り扱い性にも優れるものとなる。
【００３７】
図３は、第１実施形態に係る飲料サーバーのダクトカバーのみを示す斜視図である。
図３に示すように、ダクトカバー５０は、前側が全面で開口しており（開口部２ａ）、左右両側のダクト側壁部５０ｂ、後側のダクト後壁部５０ｃ、上側のダクト上壁部５０ｄ及び下側のダクト下壁部５０ｅを有する開口直方体状となっている。
そして、左右両側のダクト側壁部５０ｂの前端には、それぞれ、後壁部１０ｃに取り付けるための取付けフランジ５０ａが設けられている。
【００３８】
ダクトカバー５０は、後壁部１０ｃの下側に設けられた排出スリット１ｃを全て覆うように後壁部１０ｃの下側に取り付けられる。このとき、ダクトカバー５０において、左右両側の取付けフランジ５０ａの間には、排出スリット１ｃから排出される空気をダクトカバー５０内に導入するための開口部２ａが設けられている。
すなわち、ダクトカバー５０は、その取付けフランジ５０ａが、後壁部１０ｃの排出スリット１ｃの外側に当接され取り付けられており、開口部２ａが、筺体部１０の後壁部１０ｃに設けられた排出スリット１ｃに対向している。
このことから、排出スリット１ｃから排出される空気は、開口部２ａを介して、ダクトカバー５０に導入されることになる。
【００３９】
ここで、ダクトカバー５０においては、取付けフランジ５０ａが後壁部１０ｃにネジ、ピン等の留め具（図示しない）により取り付けられる。すなわち、当該留め具を取り外すことにより、ダクトカバー５０を脱着することが可能となっている。
このように、飲料サーバー１００においては、ダクトカバー５０が後壁部１０ｃから着脱自在となっているので、飲料サーバー１００の設置スペースの広さ等に応じて、ダクトカバー５０の着脱を選択することができる。
また、清掃等の際には、ダクトカバーを取り外して個別に清掃することができる。
さらに、既存の飲料サーバーを利用して、ダクトカバー５０を取り付けて用いることも可能である。
【００４０】
ダクトカバー５０において、両側のダクト側壁部５０ｂには、ダクトカバー５０内の空気を横方へ排出するためのダクト排出スリット２ｂが設けられており、ダクト上壁部５０ｄにも、ダクトカバー５０内の空気を上方へ排出するためのダクト排出スリット２ｄが設けられており、ダクト後壁部５０ｃには、空気を後方へ排出するためのダクト補助排出スリット２ｃが設けられている。なお、ダクト下壁部５０ｅには、ダクト排出スリットはないが、設けることも可能である。
【００４１】
ダクトカバー５０においては、ダクト側壁部５０ｂ又はダクト上壁部５０ｄの奥行の長さＨは、飲料サーバーの後壁部１０ｃと壁との間の一定の隙間を担保する観点から、３〜５ｃｍ程度であることが好ましい。
【００４２】
上述したように、ダクトカバー５０において、ダクト後壁部には、空気を排出するためのダクト補助排出スリット２ｃが設けられている。
したがって、仮に、ダクトカバー５０と壁との間に隙間がある場合は、当該ダクト補助排出スリット２ｃからも空気を排出させることができる。
【００４３】
図１の（ａ）に戻り、第１実施形態に係る飲料サーバー１００においては、冷却ファン４３を駆動させることにより、空気が、前壁部１０ａの下側の導入スリット１ａから下室１２内に導入される。
そして、導入された空気は、直線的に流れ、放熱器４２等を冷却する。これにより、熱を帯びた空気は、その多くが更に直線的に流れ、後壁部１０ｃの排出スリット１ｃ及びダクトカバー５０の開口部２ａを介して、ダクトカバー５０内に導入され、ダクトカバー５０のダクト排出スリット２ｂ，２ｄから排出されることになる。なお、直線的に流れない熱を帯びた空気は、側面排出スリット１ｂから排出される。
【００４４】
飲料サーバー１００においては、少なくともダクトカバー５０の分だけ、後壁部１０ｃと壁との間に隙間を設けることができ、更に、ダクト側壁部５０ｂに設けられたダクト排出スリット２ｂからは、熱を帯びた空気を左右方向に排出することができ、ダクト上壁部５０ｄに設けられたダクト排出スリット２ｂからは、熱を帯びた空気を上方向に排出することができる。なお、ダクトカバー５０と壁との間に隙間がある場合は、ダクト補助排出スリット２ｃからも空気を排出することができる。
これにより、空気を滞留させずに排出することが可能となるので、下室１２内を効率良く換気することができ、その結果、放熱器４２も効率良く冷却することが可能となる。
【００４５】
（第２実施形態）
次に、本考案に係る飲料サーバーの第２実施形態について説明する。
図４の（ａ）は、本考案に係る飲料サーバーの第２実施形態を示す部分破断側面図であり、（ｂ）は、当該飲料サーバーを斜め上方向から見た斜視図であり、（ｃ）は、当該飲料サーバーを斜め下方向から見た斜視図である。
図４の（ａ）〜（ｃ）に示すように、第２実施形態に係る飲料サーバー１０１は、直方体状の筺体部２０と、該筺体部２０の下面の四隅にそれぞれ取り付けられた脚部１５と、筺体部２０から前方に突出するように該筺体部２０の上側に取り付けられ飲料水を注出するための注出部３０と、筺体部２０から前方に突出するように該筺体部２０の下側に取り付けられたステージ部３１と、飲料水を冷却するための冷凍装置（図示しない）と、該冷凍装置に送る冷却媒体を圧縮供給するコンプレッサ４１と、冷却媒体を放熱させるための放熱器４２と、筺体部２０内に空気を導入するための冷却ファン４３と、筺体部２０から後方に突出するように取り付けられた開口直方体状のダクトカバー５０と、を備える。
飲料サーバー１０１においては、上下方向に、放熱器及び冷却ファンの順で配列され、それらの後ろ側にコンプレッサが配列されており、冷却ファン４３が空気を導入することにより、放熱器４２等が空冷されるようになっている。
すなわち、第２実施形態に係る飲料サーバー１０１は、注出部３０が１基であることと、冷却ファン、放熱器及びコンプレッサの配列が異なること、及び、それに伴い導入スリットの位置が異なること以外は、第１実施形態に係る飲料サーバー１００と同じである。
【００４６】
第２実施形態に係る飲料サーバー１０１において、筺体部２０は、前側の前壁部２０ａ、左右両側の側壁部２０ｂ、後側の後壁部２０ｃ、上側の上壁部２０ｄ及び下側の下壁部２０ｅを有する直方体状となっている。
また、筺体部２０は、内部に区画板１３を有しており、当該区画板１３を介して、その内部が上側の上室１１と下側の下室１２とに区画されている（図４の（ａ）参照）。
【００４７】
筺体部２０においては、下壁部２０ｅの前側に、下室１２内に空気を導入するための導入スリット３ａが設けられている。
なお、筺体部２０においては、下壁部２０ｅの下面の四隅に、脚部１５がそれぞれ取り付けられており、体部１０の下壁部１０ｅは、床面との間に隙間が生じるので、下壁部２０ｅの導入スリット３ａからも十分に空気を導入できる。
【００４８】
筺体部２０においては、冷却ファン４３の上方には、導入スリット３ａから導入された空気を、後壁部２０ｃ側に誘導するための空気誘導板２５が設けられている。
かかる空気誘導板２５は、板状であり、後方に行くほど上方に傾斜するように配置されている。これにより、導入スリット３ａから上方に導入される空気は、空気誘導板２５に衝突し、当該空気誘導板２５に沿うようにして、ダクトカバー５０の方に案内されることになる。
【００４９】
ここで、空気誘導板２５は、下室１２の前側に部分的に設けられている。すなわち、従来のように、下室の前側から排出スリットまで下室全体に延設されたものではないので、空気誘導板２５を十分な角度で設置することができると共に、下室内のスペースを圧迫することがない。
【００５０】
筺体部２０においては、下壁部２０ｅ側から上下方向に放熱器４２及び冷却ファン４３の順で配列され、それらの後壁部２０ｃ側にコンプレッサ４１が配列されている。すなわち、冷却ファン４３が、下壁部２０ｅに向くように配置されている。
したがって、冷却ファン４３を駆動させることにより、空気が、下壁部２０ｅの前側の導入スリット３ａから下室１２内に導入される。
このとき、冷却ファン４３と下壁部２０ｅとの間には、放熱器４２が配置されているので、冷却ファン４３を駆動させることにより、放熱器４２に向かって空気が集中して導入されることになる。その結果、当該放熱器４２を効率良く冷却させることが可能となる。
【００５１】
飲料サーバー１０１において、放熱器４２の冷却により熱を帯びた空気は、下室１２に導入された後、上方に進行し、空気誘導板２５に衝突する。
そして、当該空気は、空気誘導板２５に沿うようにして、進行方向が屈曲し、当該空気の多くが更に直線的に流れ、後壁部２０ｃの排出スリット及びダクトカバー５０の開口部
２ａを介して、ダクトカバー５０内に導入され、ダクトカバー５０のダクト排出スリット２ｂから排出されることになる。なお、直線的に流れない熱を帯びた空気は、側面排出スリット３ｂから排出される。
【００５２】
飲料サーバー１０１においては、上述した第１実施形態に係る飲料サーバー１００と同様に、少なくともダクトカバー５０の分だけ、後壁部２０ｃと壁との間に隙間を設けることができ、更に、ダクト側壁部５０ｂに設けられたダクト排出スリット２ｂからは、熱を帯びた空気を左右方向に排出することができ、ダクト上壁部５０ｄに設けられたダクト排出スリット２ｂからは、熱を帯びた空気を上方向に排出することができる。なお、ダクトカバー５０と壁との間に隙間がある場合は、ダクト補助排出スリット２ｃからも空気を排出することができる。
これにより、空気を滞留させずに排出することが可能となるので、下室１２内を効率良く換気することができ、その結果、放熱器４２も効率良く冷却することが可能となる。
【００５３】
以上、本考案の好適な実施形態について説明したが、本考案は上記実施形態に限定されるものではない。
【００５４】
本実施形態に係る飲料サーバー１００，１０１においては、ダクトカバー５０が、開口直方体状となっているが、これに限定されない。
【００５５】
本実施形態に係る飲料サーバー１００，１０１においては、両側の側壁部１０ｂ，２０ｂの下側に、下室１２内から空気を排出するための側面排出スリット１ｂ，３ｂがそれぞれ設けられているが、必ずしも必須ではない。また、何れか一方の側壁部１０ｂ，２０ｂにのみ側面排出スリット１ｂ，２ｂが設けられていてもよい。
【００５６】
本実施形態に係る飲料サーバー１００，１０１においては、ダクトカバー５０の取付けフランジ５０ａの四隅が後壁部１０ｃに留め具により取り付けられているが、これに限定されない。
例えば、取付けフランジ５０ａにリブが取り付けられており、このリブを排出スリット１ｃに係合するようにして、ダクトカバー５０を取り付けてもよい。
また、留め具の代わりに、両面テープ等を採用することも可能である。
【００５７】
本実施形態に係る飲料サーバー１００，１０１においては、ダクトカバー５０の両側のダクト側壁部５０ｂ及びダクト上壁部５０ｄに、ダクト排出スリット２ｂ，２ｄが設けられているが、ダクト側壁部５０ｂ及びダクト上壁部５０ｄのうちの少なくとも一箇所以上にダクト排出スリットが設けられていればよい。
【００５８】
本実施形態に係る飲料サーバー１００，１０１においては、ダクトカバー５０のダクト後壁部５０ｃに、空気を排出するためのダクト補助排出スリット２ｃが設けられているが、必ずしも必須ではない。
【産業上の利用可能性】
【００５９】
本考案の飲料サーバー１００，１０１は、卓上において、ビール、清涼飲料水等の飲料水を冷却すると共に、注出部から高精度で定量供給するための装置として用いられる。
本考案の飲料サーバー１００，１０１によれば、前後方向の長さも比較的コンパクトにすることができ、仮に、飲料サーバーの後壁部と壁とが当接されている場合であっても確実に内部を換気することができる。
【符号の説明】
【００６０】
１ａ，３ａ・・・導入スリット
１ｂ，３ｂ・・・側面排出スリット
１ｃ・・・排出スリット
１０，２０・・・筺体部
１０ａ，２０ａ・・・前壁部
１０ｂ，２０ｂ・・・側壁部
１０ｃ，２０ｃ・・・後壁部
１０ｄ，２０ｄ・・・上壁部
１０ｅ，２０ｅ・・・下壁部
１１・・・上室
１２・・・下室
１３・・・区画板
１５・・・脚部
１００，１０１・・・飲料サーバー
２ａ・・・開口部
２ｂ，２ｄ・・・ダクト排出スリット
２ｃ・・・ダクト補助排出スリット
２５・・・空気誘導板
３０・・・注出部
３１・・・ステージ部
４１・・・コンプレッサ
４２・・・放熱器
４３・・・冷却ファン
５０・・・ダクトカバー
５０ａ・・・取付けフランジ
５０ｂ・・・ダクト側壁部
５０ｃ・・・ダクト後壁部
５０ｄ・・・ダクト上壁部
５０ｅ・・・ダクト下壁部
Ｈ・・・長さ。
【図１】
0003234156.tif 000003
【図２】
0003234156.tif 000004
【図３】
0003234156.tif 000005
【図４】
0003234156.tif 000006
【図５】
0003234156.tif 000007